(57)【要約】【課題】表示ディスプレイに表示される所定コンテンツを視聴する視聴者が、その所定コンテンツを視聴する人が回りにほとんどいなくても共感が呼び起こされようにする。【解決手段】センタサーバ１００は、各店舗設置のロケーション端末２００（２００-1〜２００-N）の視聴者人数情報に基づきランキング情報を生成し、所定コンテンツの表示データを作成する。表示データは、第１の表示領域に所定コンテンツを表示するコンテンツデータと、所定数の第２の表示領域に、ランキング情報に基づいて選択された所定数のロケーション端末の視聴者撮影画像を表示する画像データとを含む。センタサーバ１００は、ロケーション端末２００に表示データを送る。ロケーション端末２００は、所定コンテンツの表示タイミングで、表示データに基づいて、表示ディスプレイに、所定コンテンツと共に、所定数のロケーション端末の視聴者撮影画像を表示する。【選択図】図９
2012098573.tif 000002
【特許請求の範囲】
【請求項１】
サーバ装置から、第１の表示領域に所定コンテンツを表示するコンテンツデータと、所定数の第２の表示領域に、所定数の端末装置における上記所定コンテンツの視聴者撮影画像をそれぞれ表示する撮影画像データとを含む表示データを受信する表示データ受信部と、
上記表示データ受信部で受信された表示データに基づいて、表示ディスプレイに、上記所定コンテンツと共に、上記所定数の端末装置における視聴者撮影画像を表示する表示制御部と
を備える端末装置。
【請求項２】
上記表示ディスプレイに上記所定コンテンツが表示されている期間に、該所定コンテンツの視聴者を撮影するカメラと、
少なくとも、上記カメラで得られた視聴者撮影画像データを上記サーバ装置に送信する送信部とをさらに備える
請求項１に記載の端末装置。
【請求項３】
上記カメラで撮影して得られた視聴者撮影画像データを処理して視聴者人数情報を取得する画像データ処理部をさらに備え、
上記送信部は、上記カメラで撮影して得られた視聴者撮影画像データと共に、上記画像データ処理部で取得された視聴者人数情報を上記サーバ装置に送信する
請求項２に記載の端末装置。
【請求項４】
上記表示ディスプレイに表示される所定コンテンツは、広告コンテンツである
請求項１に記載の端末装置。
【請求項５】
上記サーバ装置からコンテンツ特定情報を含む情報要求を受信する情報要求受信部をさらに備え、
上記情報要求受信部で上記情報要求が受信されるとき、
上記カメラは、上記情報要求に含まれるコンテンツ特定情報で特定される所定コンテンツが上記表示ディスプレイに表示されている期間に、該所定コンテンツの視聴者を撮影し、
上記送信部は、上記カメラで得られた視聴者撮影画像データを上記サーバ装置に送信する
請求項２に記載の端末装置。
【請求項６】
上記所定数の端末装置は、上記サーバ装置において、複数の端末装置の上記所定コンテンツの視聴者人数情報に基づいて、該複数の端末装置から選択された端末装置である
請求項１に記載の端末装置。
【請求項７】
サーバ装置から、第１の表示領域に所定コンテンツを表示するコンテンツデータと、所定数の第２の表示領域に、所定数の端末装置における上記所定コンテンツの視聴者撮影画像をそれぞれ表示する撮影画像データとを含む表示データを受信する表示データ受信ステップと、
上記表示データ受信ステップで受信された表示データに基づいて、表示ディスプレイに、上記所定コンテンツと共に、上記所定数の端末装置における視聴者撮影画像を表示する表示制御ステップと
を備える端末装置のコンテンツ表示方法。
【請求項８】
複数の端末装置から、所定コンテンツの表示期間にカメラで撮影して得られた視聴者撮影画像データを受信する受信部と、
上記複数の端末装置における上記所定コンテンツの視聴者人数情報を取得する視聴者人数情報取得部と、
上記視聴者人数情報取得部で取得された上記複数の端末装置における視聴者人数情報に基づき、視聴者人数が多い端末装置ほど上位にランク付けして、上記複数の端末装置のランキング情報を生成するランキング情報生成部と、
第１の表示領域に上記所定コンテンツを表示するコンテンツデータと、所定数の第２の表示領域に、上記複数の端末装置のうち、上記ランキング情報生成部で生成されたランキング情報に基づいて選択された所定数の端末装置における視聴者撮影画像を表示する上記受信部で受信された視聴者撮影画像データとを含む表示データを作成する表示データ作成部と、
上記表示データ作成部で作成された表示データを端末装置に送信する表示データ送信部と
を備えるサーバ装置。
【請求項９】
上記視聴者人数情報取得部は、上記複数の端末装置から視聴者人数情報を受信することで、上記複数の端末装置における上記所定コンテンツの視聴者人数情報を取得する
請求項８に記載のサーバ装置。
【請求項１０】
上記視聴者人数情報取得部は、上記受信部で受信された上記複数の端末装置の視聴者撮影画像データを処理することで、上記複数の端末装置における上記所定コンテンツの視聴者人数情報を取得する
請求項８に記載のサーバ装置。
【請求項１１】
上記複数の端末装置に、コンテンツ特定情報を含む情報要求を送信する情報要求送信部をさらに備え、
上記受信部は、上記情報要求送信部による上記情報要求の送信に対応して、上記複数の端末装置から送られてくる所定コンテンツの視聴者撮影画像データを受信し、
上記視聴者人数情報取得部は、上記情報要求送信部による上記情報要求の送信に対応して、上記複数の端末装置における上記所定コンテンツの視聴者人数情報を取得する
請求項８に記載のサーバ装置。
【請求項１２】
複数の端末装置から、所定コンテンツの表示期間にカメラで撮影して得られた視聴者撮影画像データを受信する受信ステップと、
上記複数の端末装置における上記所定コンテンツの視聴者人数情報を取得する視聴者人数情報取得ステップと、
上記視聴者人数情報取得ステップで取得された上記複数の端末装置における視聴者人数情報に基づき、視聴者人数が多い端末装置ほど上位にランク付けして、上記複数の端末装置のランキング情報を生成するランキング情報生成ステップと、
第１の表示領域に上記所定コンテンツを表示するコンテンツデータと、所定数の第２の表示領域に、上記複数の端末装置のうち、上記ランキング情報生成ステップで生成されたランキング情報に基づいて選択された所定数の端末装置における視聴者撮影画像を表示する上記受信ステップで受信された視聴者撮影画像データとを含む表示データを作成する表示データ作成ステップと、
上記表示データ作成ステップで作成された表示データを端末装置に送信する表示データ送信ステップと
を備えるサーバ装置の表示データ送信方法。
【請求項１３】
サーバ装置から、複数の端末装置における所定コンテンツの視聴者人数情報に基づき、視聴者人数が多い端末装置ほど上位にランク付けされて得られた上記複数の端末装置のランキング情報を受信するランキング情報受信部と、
上記ランキング情報受信部で受信された上記複数の端末装置のランキング情報に基づいて選択された所定数の端末装置における視聴者撮影画像データを取得する画像データ取得部と、
第１の表示領域に上記所定コンテンツを表示するコンテンツデータと、所定数の第２の表示領域に、所定数の端末装置における視聴者撮影画像をそれぞれ表示する上記画像データ取得部で取得された視聴者撮影画像データとを含む表示データを作成する表示データ作成部と、
上記表示データ作成部で作成された表示データに基づいて、表示ディスプレイに、上記所定コンテンツと共に、上記所定数の撮像装置における視聴者撮影画像を表示する表示制御部と
を備える端末装置。
【請求項１４】
上記表示ディスプレイに上記所定コンテンツが表示されている期間に、該所定コンテンツの視聴者を撮影するカメラと、
上記カメラで撮影して得られた視聴者撮影画像データを上記サーバ装置に送信する送信部とをさらに備える
請求項１３に記載の端末装置。
【請求項１５】
上記表示ディスプレイに上記所定コンテンツが表示されている期間に、該所定コンテンツの視聴者を撮影するカメラと、
上記カメラで撮影して得られた視聴者撮影画像データを処理して視聴者人数情報を取得する画像データ処理部と、
上記画像データ処理部で得られた視聴者人数情報を上記サーバ装置に送信する送信部とをさらに備える
請求項１３に記載の端末装置。
【請求項１６】
サーバ装置から、複数の端末装置における所定コンテンツの視聴者人数情報に基づき、視聴者人数が多い端末装置ほど上位にランク付けされて得られた上記複数の端末装置のランキング情報を受信するランキング情報受信ステップと、
上記ランキング情報受信ステップで受信された上記複数の端末装置のランキング情報に基づいて選択された所定数の端末装置における視聴者撮影画像データを取得する画像データ取得ステップと、
第１の表示領域に上記所定コンテンツを表示するコンテンツデータと、所定数の第２の表示領域に、所定数の端末装置における視聴者撮影画像をそれぞれ表示する上記画像データ取得ステップで取得された視聴者撮影画像データとを含む表示データを作成する表示データ作成ステップと、
上記表示データ作成ステップで作成された表示データに基づいて、表示ディスプレイに、上記所定コンテンツと共に、上記所定数の撮像装置における視聴者撮影画像を表示する表示制御ステップと
を備える端末装置のコンテンツ表示方法。
【請求項１７】
複数の端末装置における所定コンテンツの視聴者人数情報を取得する視聴者人数情報取得部と、
上記視聴者人数情報取得部で取得された上記複数の端末装置における視聴者人数情報に基づき、視聴者人数が多い端末装置ほど上位にランク付けして、上記複数の端末装置のランキング情報を生成するランキング情報生成部と、
上記ランキング情報生成部で生成されたランキング情報を端末装置に送信するランキング情報送信部と
を備えるサーバ装置。
【請求項１８】
上記視聴者人数情報取得部は、上記複数の端末装置から上記所定コンテンツの視聴者人数情報を受信することで、上記複数の端末装置における上記所定コンテンツの視聴者人数情報を取得する
請求項１７に記載のサーバ装置。
【請求項１９】
上記複数の端末装置から、所定コンテンツの表示期間にカメラで撮影して得られた視聴者撮影画像データを受信する受信部をさらに備え、
上記視聴者人数情報取得部は、上記受信部で受信された上記複数の端末装置の視聴者撮影画像データを処理することで、上記複数の端末装置における上記所定コンテンツの視聴者人数情報を取得する
請求項１７に記載のサーバ装置。
【請求項２０】
複数の端末装置における所定コンテンツの視聴者人数情報を取得する視聴者人数情報取得ステップと、
上記視聴者人数情報取得ステップで取得された上記複数の端末装置における視聴者人数情報に基づき、視聴者人数が多い端末装置ほど上位にランク付けして、上記複数の端末装置のランキング情報を生成するランキング情報生成ステップと、
上記ランキング情報生成ステップで生成されたランキング情報を端末装置に送信するランキング情報送信ステップと
を備えるサーバ装置のランキング情報送信方法。
【発明の詳細な説明】
【技術分野】
【０００１】
この発明は、端末装置、端末装置のコンテンツ表示方法、サーバ装置、サーバ装置の表示データ送信方法およびサーバ装置のランキング情報送信方法に関し、特に、サーバ装置からネットワークを介して送信されるコンテンツを表示する端末装置等に関する。
【背景技術】
【０００２】
店舗や公共の場所等に表示ディスプレイを設置し、ネットワーク接続されたサーバ等の提供する情報を表示することで、多くの人々に情報を提供するシステムは、例えばサイネージシステムあるいはデジタルサイネージと呼ばれ、近年、様々な場所で利用されている。なお、サイネージシステムについては、例えば、特許文献１、特許文献２、特許文献３等に記載がある。
【０００３】
スーパーマーケットなどの店舗におけるサイネージシステムの利用例としては以下のようなものがある。スーパーマーケットのチェーンを構成する各店舗に店舗端末（表示ディスプレイ等）を設置し、特売情報や、店の案内、あるいは商品の広告などの様々な情報を表示するシステムである。このようなシステムを用いることで、買い物客に様々な情報を提供することが可能となる。店舗端末の出力情報は、店舗端末とネットワーク接続されたサーバからネットワークを介して配信可能であり、例えばチェーン展開された多数の店舗に表示すべきコンテンツをタイムリーに配信することが可能となる。
【０００４】
このようなサイネージシステムにおいて、例えば店舗端末の表示ディスプレイに表示される広告コンテンツを視聴する視聴者は、その広告コンテンツを視聴する人が回りに多数いれば共感が呼び起こされ、盛り上がる。この盛り上がりにより、視聴者はその広告コンテンツに引き込まれ易くなり、広告効果が向上する。なお、例えば、特許文献４には、表示されている広告コンテンツの視聴者人数を計測することで広告効果の測定を行うことが記載されている。また、例えば、特許文献５には、カメラを介しての視聴者の映像情報、あるいはマイクを介しての視聴者の音声情報に基づいて、番組コンテンツを視聴している視聴者の盛り上がり度を取得して、番組コンテンツのハイライトを抽出することが記載されている。
【先行技術文献】
【特許文献】
【０００５】
【特許文献１】特開２００９−１３４６９４号公報
【特許文献２】特開２００９−２７６９３４号公報
【特許文献３】特開２００９−２０５３６１号公報
【特許文献４】特開２００８−１１２４０１号公報
【特許文献５】特開２０１０−０１６４８２号公報
【発明の概要】
【発明が解決しようとする課題】
【０００６】
上述したように、サイネージシステムにおいて、例えば店舗端末の表示ディスプレイに表示される広告コンテンツを視聴する視聴者は、その広告コンテンツを視聴する人が回りに多数いれば共感が呼び起こされ、盛り上がる。しかし、その広告コンテンツを視聴する人が回りにほとんどいない場合、視聴者は、共感が呼び起こされることがなく、盛り上がらない。この場合、視聴者はその広告コンテンツに引き込まれ難くなり、広告効果が低減する。
【０００７】
この発明の目的は、表示ディスプレイに表示される広告コンテンツ等の所定コンテンツを視聴する視聴者が、その所定コンテンツを視聴する人が回りにほとんどいなくても共感が呼び起こされ、盛り上がる、ようにすることにある。
【課題を解決するための手段】
【０００８】
この発明の概念は、
サーバ装置から、第１の表示領域に所定コンテンツを表示するコンテンツデータと、所定数の第２の表示領域に、所定数の端末装置における上記所定コンテンツの視聴者撮影画像をそれぞれ表示する撮影画像データとを含む表示データを受信する表示データ受信部と、
上記表示データ受信部で受信された表示データに基づいて、表示ディスプレイに、上記所定コンテンツと共に、上記所定数の端末装置における視聴者撮影画像を表示する表示制御部と
を備える端末装置にある。
【０００９】
この発明において、表示データ受信部により、サーバ装置から、表示データが受信される。この表示データには、第１の表示領域に所定コンテンツを表示するコンテンツデータと、所定数の第２の表示領域に、所定数の端末装置における所定コンテンツの視聴者撮影画像をそれぞれ表示する撮影画像データとが含まれている。この所定コンテンツは、例えば、広告コンテンツ、あるいは番組コンテンツなどである。
【００１０】
そして、表示制御部により、表示データ受信部で受信された表示データに基づいて、表示ディスプレイに、所定コンテンツと共に、所定数の端末装置における視聴者撮影画像が表示される。例えば、所定数の端末装置は、サーバ装置において、複数の端末装置の所定コンテンツの視聴者人数情報に基づいて、この複数の端末装置から選択された端末装置とされる。例えば、所定数の端末装置は、視聴者人数が多い方から順に選択される。この場合、例えば、所定コンテンツが画面の中央に表示され、所定数の端末装置における視聴者撮影画像は所定コンテンツの回りに表示される。
【００１１】
このように、この発明においては、表示ディスプレイに、所定コンテンツと共に、所定数の端末装置における視聴者撮影画像が表示されるものである。そのため、所定コンテンツを視聴する視聴者は、その所定コンテンツを視聴する人が回りにほとんどいなくても、所定数の端末装置における視聴者撮影画像内の視聴者により共感が呼び起こされ、盛り上がり、その所定コンテンツに引き込まれ易くなる。したがって、例えば、所定コンテンツが広告コンテンツである場合には、広告効果の向上が図られる。
【００１２】
なお、この発明において、例えば、表示ディスプレイに所定コンテンツが表示されている期間に、この所定コンテンツの視聴者を撮影するカメラと、少なくとも、カメラで得られた視聴者撮影画像データをサーバ装置に送信する送信部とをさらに備える、ようにしてもよい。この場合、自身の視聴者撮影画像を、所定数の第２の表示領域に表示される、サーバ装置で選択される視聴者撮影画像の候補とすることができる。
【００１３】
また、この発明において、例えば、カメラで撮影して得られた視聴者撮影画像データを処理して視聴者人数情報を取得する画像データ処理部をさらに備え、送信部は、カメラで撮影して得られた視聴者撮影画像データと共に、画像データ処理部で取得された視聴者人数情報をサーバ装置に送信する、ようにしてもよい。この場合、サーバ装置では、視聴者撮影画像データに対して視聴者人数情報を取得するための処理を行う必要がなく、処理負荷が軽減される。
【００１４】
また、この発明において、例えば、サーバ装置からコンテンツ特定情報を含む情報要求を受信する情報要求受信部をさらに備え、情報要求受信部で情報要求が受信されるとき、カメラは、情報要求に含まれるコンテンツ特定情報で特定される所定コンテンツが表示ディスプレイに表示されている期間に、この所定コンテンツの視聴者を撮影し、送信部は、カメラで得られた視聴者撮影画像データをサーバ装置に送信する、ようにしてもよい。これにより、サーバ装置が要求する特定コンテンツの視聴者撮影画像データが、サーバ装置に送信される。この場合、視聴者撮影画像データと共に、視聴者人数情報を送信するようにしてもよい。
【００１５】
この発明の他の概念は、
複数の端末装置から、所定コンテンツの表示期間にカメラで撮影して得られた視聴者撮影画像データを受信する受信部と、
上記複数の端末装置における上記所定コンテンツの視聴者人数情報を取得する視聴者人数情報取得部と、
上記視聴者人数情報取得部で取得された上記複数の端末装置における視聴者人数情報に基づき、視聴者人数が多い端末装置ほど上位にランク付けして、上記複数の端末装置のランキング情報を生成するランキング情報生成部と、
第１の表示領域に上記所定コンテンツを表示するコンテンツデータと、所定数の第２の表示領域に、上記複数の端末装置のうち、上記ランキング情報生成部で生成されたランキング情報に基づいて選択された所定数の端末装置における視聴者撮影画像を表示する上記受信部で受信された視聴者撮影画像データとを含む表示データを作成する表示データ作成部と、
上記表示データ作成部で作成された表示データを端末装置に送信する表示データ送信部と
を備えるサーバ装置にある。
【００１６】
この発明において、受信部により、複数の端末装置から、所定コンテンツの表示期間にカメラで撮影して得られた視聴者撮影画像データが受信される。また、視聴者人数情報取得部により、複数の端末装置における所定コンテンツの視聴者人数情報が取得される。例えば、視聴者人数情報取得部は、複数の端末装置から視聴者人数情報を受信することで、複数の端末装置における所定コンテンツの視聴者人数情報を取得する、ようにされる。また、例えば、視聴者人数情報取得部は、受信部で受信された複数の端末装置の視聴者撮影画像データを処理することで、複数の端末装置における所定コンテンツの視聴者人数情報を取得する、ようにされる。
【００１７】
ランキング情報生成部により、視聴者人数情報取得部で取得された複数の端末装置における視聴者人数情報に基づき、視聴者人数が多い端末装置ほど上位にランク付けされて、複数の端末装置のランキング情報が生成される。そして、表示データ作成部により、複数の端末装置に送信すべき表示データが作成される。
【００１８】
この表示データには、第１の表示領域に所定コンテンツを表示するコンテンツデータと、所定数の第２の表示領域に、複数の端末装置のうち、ランキング情報生成部で生成されたランキング情報に基づいて選択された所定数の端末装置における視聴者撮影画像を表示する、受信部で受信された視聴者撮影画像データとが含まれる。例えば、所定数の端末装置は、視聴者人数が多い方から順に選択される。
【００１９】
この場合、各端末装置に送信すべき表示データに含まれる所定数の端末装置の視聴者撮影画像データは共通でもよい。しかし、送信先の端末装置の視聴者撮影画像データが所定数の端末装置の視聴者撮影画像データに含まれないように、各端末装置に送信すべき表示データが作成されてもよい。
【００２０】
この表示データの作成には、例えば、表示用テンプレートが使用される。この表示用テンプレートに、コンテンツデータおよび画像データが配置されることで、表示データが作成される。この表示用テンプレートは、例えば、第１の表示領域が画面中央に位置し、所定数の第２の表示領域が第１の表示領域の回りに位置するものとされる。
【００２１】
表示データ送信部により、表示データ作成部で作成された表示データが、端末装置に送信される。なお、この端末装置は、上述の所定コンテンツの視聴者撮影画像データを送信してくる複数の端末装置に限定されず、その他の端末装置が含まれていてもよい。
【００２２】
このように、この発明においては、端末装置に、所定コンテンツと共に、所定数の端末装置における視聴者撮影画像を表示し得る表示データが送信され、表示ディスプレイに、所定コンテンツと共に、所定数の端末装置における視聴者撮影画像が表示される。そのため、所定コンテンツを視聴する視聴者は、その所定コンテンツを視聴する人が回りにほとんどいなくても、所定数の端末装置における視聴者撮影画像内の視聴者により共感が呼び起こされ、盛り上がり、その所定コンテンツに引き込まれ易くなる。したがって、例えば、所定コンテンツが広告コンテンツである場合には、広告効果の向上が図られる。
【００２３】
なお、この発明において、例えば、複数の端末装置に、コンテンツ特定情報を含む情報要求を送信する情報要求送信部をさらに備え、受信部は、情報要求送信部による情報要求の送信に対応して、複数の端末装置から送られてくる所定コンテンツの視聴者撮影画像データを受信し、視聴者人数情報取得部は、情報要求送信部による情報要求の送信に対応して、複数の端末装置における所定コンテンツの視聴者人数情報を取得する、ようにしてもよい。これにより、複数の端末装置から特定コンテンツの視聴者撮影画像データを受信でき、また、それに対応した視聴者人数情報を取得して、各端末装置に送信すべき表示データを更新することが可能となる。
【００２４】
また、この発明の概念は、
サーバ装置から、複数の端末装置における所定コンテンツの視聴者人数情報に基づき、視聴者人数が多い端末装置ほど上位にランク付けされて得られた上記複数の端末装置のランキング情報を受信するランキング情報受信部と、
上記ランキング情報受信部で受信された上記複数の端末装置のランキング情報に基づいて選択された所定数の端末装置における視聴者撮影画像データを取得する画像データ取得部と、
第１の表示領域に上記所定コンテンツを表示するコンテンツデータと、所定数の第２の表示領域に、所定数の端末装置における視聴者撮影画像をそれぞれ表示する上記画像データ取得部で取得された視聴者撮影画像データとを含む表示データを作成する表示データ作成部と、
上記表示データ作成部で作成された表示データに基づいて、表示ディスプレイに、上記所定コンテンツと共に、上記所定数の撮像装置における視聴者撮影画像を表示する表示制御部と
を備える端末装置にある。
【００２５】
この発明において、ランキング情報受信部により、サーバ装置から、複数の端末装置における所定コンテンツの視聴者人数情報に基づき、視聴者人数が多い端末装置ほど上位にランク付けされて得られたランキング情報が受信される。この所定コンテンツは、例えば、広告コンテンツ、あるいは番組コンテンツなどである。画像データ取得部により、ランキング情報受信部で受信されたランキング情報に基づいて所定数の端末装置が選択される。例えば、所定数の端末装置は、視聴者人数が多い方から順に選択される。この場合、所定数のロケーション端末から自身のロケーション端末が除かれてもよい。
【００２６】
そして、画像データ取得部により、所定コンテンツの表示タイミングにおいて、所定数の端末装置における視聴者撮影画像データが取得される。所定数の端末装置に自身の端末装置が含まれる場合、カメラが視聴者撮影状態とされてライブの視聴者撮影画像データが得られる状態となる。また、所定数の端末装置に含まれる他の端末装置に関しては、その端末装置にアクセスされ、その端末装置からライブの視聴者撮影画像データが受信される状態となる。
【００２７】
表示データ作成部により、所定コンテンツの表示タイミングに、表示データが作成される。この表示データには、第１の表示領域に所定コンテンツを表示するコンテンツデータと、所定数の第２の表示領域に、上述したように複数の端末装置のランキング情報に基づいて選択された所定数の端末装置における視聴者撮影画像を表示する、画像データ取得部で取得された視聴者撮影画像データ（ライブの視聴者撮影画像データ）とが含まれる。
【００２８】
この表示データの作成には、例えば、表示用テンプレートが使用される。この表示用テンプレートに、コンテンツデータおよび画像データが配置されることで、表示データが作成される。この表示用テンプレートは、例えば、第１の表示領域が画面中央に位置し、所定数の第２の表示領域が第１の表示領域の回りに位置するものとされる。なお、所定コンテンツを表示するコンテンツデータは、予め、単独で、あるいは表示用テンプレートに配置されて配信される。
【００２９】
そして、表示制御部により、表示データ作成部で作成された表示データに基づいて、表示ディスプレイに、所定コンテンツと共に、所定数の撮像装置における視聴者撮影画像（ライブの試聴者撮影画像）が表示される。この場合、例えば、所定コンテンツが画面の中央に表示され、所定数の端末装置における視聴者撮影画像は所定コンテンツの回りに表示される。
【００３０】
このように、この発明においては、表示ディスプレイに、所定コンテンツと共に、複数の端末装置のその所定コンテンツの視聴者人数のランキング情報に基づいて選択された所定数の端末装置におけるライブの視聴者撮影画像が表示されるものである。そのため、所定コンテンツを視聴する視聴者は、その所定コンテンツを視聴する人が回りにほとんどいなくても、所定数の端末装置における視聴者撮影画像内の視聴者により共感が呼び起こされ、盛り上がり、その所定コンテンツに引き込まれ易くなる。したがって、例えば、所定コンテンツが広告コンテンツである場合には、広告効果の向上が図られる。
【００３１】
なお、この発明において、例えば、表示ディスプレイに所定コンテンツが表示されている期間に、この所定コンテンツの視聴者を撮影するカメラと、このカメラで撮影して得られた視聴者撮影画像データをサーバ装置に送信する送信部とをさらに備える、ようにしてもよい。この場合、自身の端末装置を、サーバ装置における視聴者人数に基づくランキングの対象とすることができる。
【００３２】
また、この発明において、例えば、表示ディスプレイに所定コンテンツが表示されている期間に、この所定コンテンツの視聴者を撮影するカメラと、このカメラで撮影して得られた視聴者撮影画像データを処理して視聴者人数情報を取得する画像データ処理部と、この画像データ処理部で得られた視聴者撮影画像データをサーバ装置に送信する送信部とをさらに備える、ようにしてもよい。この場合、自身の端末装置を、サーバ装置における視聴者人数に基づくランキングの対象とすることができる。また、この場合、サーバ装置では、視聴者撮影画像データに対して視聴者人数情報を取得するための処理を行う必要がなく、処理負荷が軽減される。
【００３３】
また、この発明の他の概念は、
複数の端末装置における所定コンテンツの視聴者人数情報を取得する視聴者人数情報取得部と、
上記視聴者人数情報取得部で取得された上記複数の端末装置における視聴者人数情報に基づき、視聴者人数が多い端末装置ほど上位にランク付けして、上記複数の端末装置のランキング情報を生成するランキング情報生成部と、
上記ランキング情報生成部で生成されたランキング情報を端末装置に送信するランキング情報送信部と
を備えるサーバ装置にある。
【００３４】
この発明において、視聴者人数情報取得部により、複数の端末装置における所定コンテンツの視聴者人数情報が取得される。例えば、視聴者人数情報取得部は、複数の端末装置から視聴者人数情報を受信することで、複数の端末装置における所定コンテンツの視聴者人数情報を取得する、ようにされる。また、例えば、複数の端末装置から、所定コンテンツの表示期間にカメラで撮影して得られた視聴者撮影画像データを受信する受信部をさらに備え、視聴者人数情報取得部は、受信部で受信された複数の端末装置の視聴者撮影画像データを処理することで、複数の端末装置における所定コンテンツの視聴者人数情報を取得する、ようにされる。
【００３５】
ランキング情報生成部により、視聴者人数情報取得部で取得された複数の端末装置における視聴者人数情報に基づき、視聴者人数が多い端末装置ほど上位にランク付けされて、複数の端末装置のランキング情報が生成される。そして、ランキング情報送信部により、ランキング情報生成部で生成されたランキング情報が端末装置に送信される。なお、この端末装置は、上述の所定コンテンツの視聴者人数情報を所得する複数の端末装置に限定されず、その他の端末装置が含まれていてもよい。
【００３６】
このように、この発明においては、端末装置に、複数の端末装置の所定コンテンツの視聴者人数のランキング情報が送信される。そのため、端末装置では、表示ディスプレイに、所定コンテンツと共に、ランキング情報に基づいて選択された所定数の端末装置におけるライブの視聴者撮影画像を表示できる。これにより、所定コンテンツを視聴する視聴者は、その所定コンテンツを視聴する人が回りにほとんどいなくても、所定数の端末装置における視聴者撮影画像内の視聴者により共感が呼び起こされ、盛り上がり、その所定コンテンツに引き込まれ易くなる。したがって、例えば、所定コンテンツが広告コンテンツである場合には、広告効果の向上が図られる。
【００３７】
また、この発明の概念は、
サーバ装置と端末装置とがネットワークを介して接続されてなるネットワークシステムであって、
上記サーバ装置は、
複数の端末装置から、所定コンテンツの表示期間にカメラで撮影して得られた視聴者撮影画像データを受信する受信部と、
上記複数の端末装置における上記所定コンテンツの視聴者人数情報を取得する視聴者人数情報取得部と、
上記視聴者人数情報取得部で取得された上記複数の端末装置における視聴者人数情報に基づき、視聴者人数が多い端末装置ほど上位にランク付けして、上記複数の端末装置のランキング情報を生成するランキング情報生成部と、
第１の表示領域に上記所定コンテンツを表示するコンテンツデータと、所定数の第２の表示領域に、上記複数の端末装置のうち、上記ランキング情報生成部で生成されたランキング情報に基づいて選択された所定数の端末装置における視聴者撮影画像を表示する上記受信部で受信された視聴者撮影画像データとを含む表示データを作成する表示データ作成部と、
上記表示データ作成部で作成された表示データを端末装置に送信する表示データ送信部と
を備え、
上記端末装置は、
上記サーバ装置から、上記表示データを受信する表示データ受信部と、
上記表示データ受信部で受信された表示データに基づいて、表示ディスプレイに、上記所定コンテンツと共に、上記所定数の端末装置における視聴者撮影画像を表示する表示制御部とを備える
ネットワークシステムにある。
【００３８】
また、この発明の他の概念は、
サーバ装置と端末装置とがネットワークを介して接続されてなるネットワークシステムであって、
上記サーバ装置は、
複数の端末装置における所定コンテンツの視聴者人数情報を取得する視聴者人数情報取得部と、
上記視聴者人数情報取得部で取得された上記複数の端末装置における視聴者人数情報に基づき、視聴者人数が多い端末装置ほど上位にランク付けして、上記複数の端末装置のランキング情報を生成するランキング情報生成部と、
上記ランキング情報生成部で生成されたランキング情報を端末装置に送信するランキング情報送信部とを備え、
上記端末装置は、
上記サーバ装置から上記複数の端末装置のランキング情報を受信するランキング情報受信部と、
上記ランキング情報受信部で受信された上記複数の端末装置のランキング情報に基づいて選択された所定数の端末装置における視聴者撮影画像データを取得する画像データ取得部と
第１の表示領域に上記所定コンテンツを表示するコンテンツデータと、所定数の第２の表示領域に、所定数の端末装置における視聴者撮影画像をそれぞれ表示する上記画像データ取得部で取得された視聴者撮影画像データとを含む表示データを作成する表示データ作成部と、
上記表示データ作成部で作成された表示データに基づいて、表示ディスプレイに、上記所定コンテンツと共に、上記所定数の撮像装置における視聴者撮影画像を表示する表示制御部とを備える
ネットワークシステムにある。
【発明の効果】
【００３９】
この発明によれば、端末装置の表示ディスプレイに、所定コンテンツと共に、所定数の端末装置における視聴者撮影画像が表示されるものであり、所定コンテンツを視聴する視聴者は、その所定コンテンツを視聴する人が回りにほとんどいなくても、所定数の端末装置における視聴者撮影画像内の視聴者により共感が呼び起こされ、盛り上がり、その所定コンテンツに引き込まれ易くなる。したがって、例えば、所定コンテンツが広告コンテンツである場合には、広告効果の向上を図ることができる。
【図面の簡単な説明】
【００４０】
【図１】この発明の第１の実施の形態としてのサイネージシステムの構成例を示すブロック図である。
【図２】表示用テンプレートの一例を示す図である。
【図３】日本の主要都市の店舗のロケーション端末で得られた視聴者撮影画像の一例を示す図である。
【図４】「札幌」の店舗に設置されたロケーション端末における表示例を示す図である。
【図５】ロケーション端末の構成例を示すブロック図である。
【図６】ロケーション端末の主要な機能を示した機能ブロック図である。
【図７】センタサーバの構成例を示すブロック図である。
【図８】センタサーバの主要な機能を示した機能ブロック図である。
【図９】センタサーバとロケーション端末との間のデータあるいは情報のやり取りを概略的に示すシーケンス図である。
【図１０】ロケーション端末における視聴者撮影画像データおよび視聴者人数情報の送信処理手順を示すフローチャートである。
【図１１】センタサーバにおける表示データの送信処理手順を示すフローチャートである。
【図１２】ロケーション端末における表示データの受信処理手順を示すフローチャートである。
【図１３】ロケーション端末における所定広告コンテンツの表示処理手順を示すフローチャートである。
【図１４】実施の形態のロケーション端末におけるコンテンツＡの表示方法の一例を示す図である。
【図１５】従来のロケーション端末におけるコンテンツＡの表示方法の一例を示す図である。
【図１６】ロケーション端末の主要な機能を示した機能ブロック図である。
【図１７】ロケーション端末における視聴者撮影画像データの送信処理手順を示すフローチャートである。
【図１８】センタサーバの主要な機能を示した機能ブロック図である。
【図１９】センタサーバにおける表示データの送信処理手順を示すフローチャートである。
【図２０】ロケーション端末の主要な機能を示した機能ブロック図である。
【図２１】センタサーバの主要な機能を示した機能ブロック図である。
【図２２】センタサーバとロケーション端末との間のデータあるいは情報のやり取りを概略的に示すシーケンス図である。
【図２３】ロケーション端末における視聴者人数情報の送信処理手順を示すフローチャートである。
【図２４】センタサーバにおけるランキング情報の送信処理手順を示すフローチャートである。
【図２５】ロケーション端末におけるランキング情報の受信処理手順を示すフローチャートである。
【図２６】ロケーション端末における所定広告コンテンツの表示処理手順を示すフローチャートである。
【図２７】ロケーション端末の主要な機能を示した機能ブロック図である。
【図２８】センタサーバの主要な機能を示した機能ブロック図である。
【図２９】センタサーバにおける表示データの送信処理手順を示すフローチャートである。
【発明を実施するための形態】
【００４１】
以下、発明を実施するための形態（以下、「実施の形態」とする）について説明する。なお、説明は以下の順序で行う。
１．実施の形態
２．変形例
【００４２】
＜１．実施の形態＞
［サイネージシステムの構成例］
図１は、実施の形態としてのサイネージシステム（ネットワークシステム）１０の構成例を示している。このサイネージシステム１０は、スーパーマーケットなどの店舗におけるサイネージシステムを示している。
【００４３】
このサイネージシステム１０は、センタサーバ（サーバ装置）１００と、Ｎ個（Ｎは２以上の整数）のロケーション端末（端末装置）２００-1〜２００-Nが、ネットワーク３００を介して接続された構成となっている。センタサーバ１００は本部に設置され、ロケーション端末（端末装置）２００-1〜２００-Nは各店舗に設置される。ロケーション端末２００-1〜２００-Nでは、センタサーバ１００からスケジューリングに応じて配信される広告コンテンツが、所定のタイミングで表示される。
【００４４】
この実施の形態において、センタサーバ１００からロケーション端末２００-1〜２００-Nに、コンテンツ特定情報を含む情報要求が送信される。ロケーション端末２００-1〜２００-Nでは、センタサーバ１００から送られてくる情報要求が受信される。ロケーション端末（端末装置）２００-1〜２００-Nでは、この情報要求に応じて、コンテンツ特定情報で特定される所定広告コンテンツの視聴者が撮影される。この場合、ロケーション端末２００-1〜２００-Nでは、この所定広告コンテンツが表示ディスプレイに表示される、例えば３０秒、１分などの期間に、例えば表示ディスプレイの上端などに設置されたカメラで、この所定広告コンテンツの視聴者が撮影される。
【００４５】
ロケーション端末２００-1〜２００-Nで得られた視聴者撮影画像データ（動画像データ）は、センタサーバ１００に送信される。また、ロケーション端末２００-1〜２００-Nでは、視聴者撮影画像データが処理されて視聴者人数情報が取得される。この視聴者人数情報を取得する処理は、詳細説明は省略するが、例えば、特開２００８−１１２４０１号公報などに記載されている顔画像認識技術を用いて行われる。
【００４６】
なお、所定広告コンテンツの表示期間内において、この所定広告コンテンツを視聴している視聴者が変動することが予想される。そのため、例えば、所定広告コンテンツの表示期間における視聴者撮影画像データから所定の時間間隔をもって抽出された所定数のフレーム画像データのそれぞれで視聴者数が求められ、それらが平均されて最終的な視聴者人数とされる。ロケーション端末２００-1〜２００-Nで得られた視聴者人数情報は、センタサーバ１００に送信される。
【００４７】
センタサーバ１００では、ロケーション端末２００-1〜２００-Nから送られてくる、所定広告コンテンツの視聴者撮影画像データおよび視聴者人数情報が受信される。センタサーバ１００では、ロケーション端末２００-1〜２００-Nにおける視聴者人数情報に基づき、視聴者人数が多いロケーション端末ほど上位にランク付けされて、ロケーション端末２００-1〜２００-Nのランキング情報が生成される。
【００４８】
センタサーバ１００では、このランキング情報に基づいて、ロケーション端末２００-1〜２００-Nに送信すべき表示データが作成される。この表示データには、第１の表示領域に所定広告コンテンツを表示するコンテンツデータと共に、所定数の第２の表示領域に視聴者撮影画像を表示する所定数のロケーション端末の視聴者撮影画像データが含まれる。所定数のロケーション端末は、ロケーション端末２００-1〜２００-Nから、ランキング情報に基づいて選択される。例えば、所定数のロケーション端末は、視聴者人数が多い方から順に選択される。
【００４９】
この場合、ロケーション端末２００-1〜２００-Nに送信すべき表示データに含まれる所定数のロケーション端末の視聴者撮影画像データは共通とされる。あるいは、送信先のロケーション端末の視聴者撮影画像データが所定数のロケーション端末の視聴者撮影画像データに含まれないように、ロケーション端末２００-1〜２００-Nに送信すべき表示データが作成される。
【００５０】
センタサーバ１００では、表示データを作成する際に、例えば、表示用テンプレートが使用される。この表示用テンプレートに、コンテンツデータおよび画像データが配置されることで、表示データが作成される。この表示用テンプレートは、例えば、第１の表示領域が画面中央に位置し、所定数の第２の表示領域が第１の表示領域の回りに位置するものとされる。
【００５１】
図２は、表示用テンプレートの一例を示しており、６個の第２の表示領域が設けられている。なお、第１の表示領域に配置されるコンテンツデータおよび第２の表示領域に配置される視聴者撮影画像データは、適宜スケーリング処理が施されて、表示解像度が各領域に合致するように調整される。
【００５２】
センタサーバ１００で得られた表示画像データは、ロケーション端末２００-1〜２００-Nに供給される。ロケーション端末２００-1〜２００-Nでは、センタサーバ１００から送られてくる所定広告コンテンツの表示データが受信される。そして、ロケーション端末２００-1〜２００-Nでは、所定広告コンテンツの表示タイミングにおいて、表示ディスプレイに、この表示データに基づいた表示が行われる。すなわち、表示ディスプレイには、所定広告コンテンツと共に、所定数のロケーション端末における所定広告コンテンツの視聴者撮影画像が表示される。
【００５３】
所定数のロケーション端末は、上述したように、センタサーバ１００において、ロケーション端末２００-1〜２００-Nのランキング情報に基づいて、例えば視聴者人数が多い方から選択されたものである。そのため、表示ディスプレイに表示される所定数のロケーション端末における視聴者撮影画像は、比較的多くの視聴者が含まれているものとなる。
【００５４】
図３は、日本の主要都市の店舗のロケーション端末で得られた視聴者撮影画像の一例を示している。この例では、理解を容易とするため、撮影画像に含まれる視聴者をイラストで表している。図４は、図３の例の場合に、例えば、「札幌」の店舗に設置されたロケーション端末における表示例を示している。第１の表示領域に、「ビール」の広告コンテンツが表示され、６個の第２の表示領域に、「東京」、「大阪」、「博多」、「名古屋」、「千葉」、「神戸」の視聴者人数が多い都市の店舗のロケーション端末で得られた視聴者撮影画像が表示されている。
【００５５】
［ロケーション端末の構成例］
図５は、ロケーション端末２００（２００-1〜２００-N）の構成例を示している。ロケーション端末２００は、ＣＰＵ２０１と、ＲＯＭ２０２と、ＲＡＭ２０３と、ＨＤＤ(Hard Disk Drive)２０４と、カメラ２０５を有している。また、ロケーション端末２００は、通信インタフェース（Ｉ／Ｆ）２０６と、入出力インタフェース（Ｉ／Ｆ）２０７と、内部バス２０８と、ユーザ操作部２０９と、表示ディスプレイ２１０を有している。
【００５６】
ＣＰＵ２０１は、ロケーション端末２００の各部の動作を制御する。ＲＯＭ２０２は、ＣＰＵ２０１の処理プログラム等を格納する。ＲＡＭ２０３は、ＣＰＵ２０１のワークエリアとして機能する。ＣＰＵ２０１は、ＲＯＭ２０２に格納されている処理プログラムを必要に応じて読み出し、読み出した処理プログラムをＲＡＭ２０３に転送して展開し、当該展開された処理プログラムを読み出して処理を実行する。
【００５７】
ＣＰＵ２０１、ＲＯＭ２０２、ＲＡＭ２０３、ＨＤＤ２０４、カメラ２０５、通信Ｉ／Ｆ２０６および入出力Ｉ／Ｆ２０７は、内部バス２０８に接続されている。また、入出力Ｉ／Ｆ２０７には、ユーザ操作部２０９および表示ディスプレイ２１０が接続されている。これらユーザ操作部２０９および表示ディスプレイ２１０は、ユーザインタフェースを構成している。ユーザ操作部２０９は、キーボード、マウス等で構成されている。表示ディスプレイ２１０は、例えば、ＬＣＤ(Liquid Crystal Display)等のフラットパネルディスプレイで構成されている。
【００５８】
図６は、ロケーション端末２００の主要な機能を示した機能ブロック図である。ロケーション端末２００は、カメラ２０５および表示ディスプレイ２１０の他に、情報要求受信部２２１と、画像データ処理部２２２と、送信部２２３と、表示データ受信部２２４と、表示制御部２２５とを備えている。情報要求受信部２２１は、センタサーバ１００から送信されてくるコンテンツ特定情報を含む情報要求を受信する。
【００５９】
カメラ２０５は、情報要求受信部２２１で受信された情報要求に含まれるコンテンツ特定情報で特定される所定広告コンテンツが表示ディスプレイ２１０に表示される期間に視聴者を撮影して、視聴者撮影画像データを得る。画像データ処理部２２２は、カメラ２０５で得られた所定広告コンテンツの視聴者撮影画像データを処理して、視聴者人数情報を取得する。送信部２２３は、カメラ２０５で得られた所定広告コンテンツの視聴者撮影画像データおよび画像データ処理部２２２で取得された所定広告コンテンツの視聴者人数情報を、センタサーバ１００に送信する。
【００６０】
表示データ受信部２２４は、センタサーバ１００から送信されてくる所定広告コンテンツの表示データを受信する。表示制御部２２５は、表示データ受信部２２４で受信された表示データに基づいて、表示ディスプレイ２１０に、所定広告コンテンツの表示タイミングに、この所定広告コンテンツと共に、所定数のロケーション端末の視聴者撮影画像を表示する。なお、情報要求受信部２２１、送信部２２３および表示データ受信部２２４は、通信インタフェース２０６により構成される。また、画像データ処理部２２２および表示制御部２２５は、ＣＰＵ２０１により構成される。
【００６１】
［センタサーバの構成例］
図７は、センタサーバ１００の構成例を示している。センタサーバ１００は、ＣＰＵ１０１と、ＲＯＭ１０２と、ＲＡＭ１０３と、ＨＤＤ(Hard Disk Drive)１０４を有している。また、センタサーバ１００は、通信インタフェース（Ｉ／Ｆ）１０５と、入出力インタフェース（Ｉ／Ｆ）１０６と、内部バス１０７と、ユーザ操作部１０８と、表示部１０９を有している。
【００６２】
ＣＰＵ１０１は、センタサーバ１００の各部の動作を制御する。ＲＯＭ１０２は、ＣＰＵ１０１の処理プログラム等を格納する。ＲＡＭ１０３は、ＣＰＵ１０１のワークエリアとして機能する。ＣＰＵ１０１は、ＲＯＭ１０２に格納されている処理プログラムを必要に応じて読み出し、読み出した処理プログラムをＲＡＭ１０３に転送して展開し、当該展開された処理プログラムを読み出して処理を実行する。
【００６３】
ＣＰＵ１０１、ＲＯＭ１０２、ＲＡＭ１０３、ＨＤＤ１０４、通信Ｉ／Ｆ１０５および入出力Ｉ／Ｆ１０６は、内部バス１０７に接続されている。また、入出力Ｉ／Ｆ１０６には、ユーザ操作部１０８および表示部１０９が接続されている。これらユーザ操作部１０８および表示部１０９は、ユーザインタフェースを構成している。ユーザ操作部１０８は、キーボード、マウス等で構成されている。表示部１０９は、例えば、ＬＣＤ(Liquid Crystal Display)等のフラットパネルディスプレイで構成されている。
【００６４】
図８は、センタサーバ１００の主要な機能を示した機能ブロック図である。センタサーバ１００は、情報要求送信部１２１と、受信部１２２と、ランキング情報生成部１２３と、表示データ作成部１２４と、表示データ送信部１２５とを備えている。なお、情報要求送信部１２１、受信部１２２および表示データ送信部１２５は、通信インタフェース１０５により構成される。また、ランキング情報生成部１２３および表示データ作成部１２４は、ＣＰＵ１０１により構成される。情報要求送信部１２１は、コンテンツ特定情報を含む情報要求を、ロケーション端末２００-1〜２００-Nに送信する。
【００６５】
受信部１２２は、ロケーション端末２００-1〜２００-Nから送られてくる、所定広告コンテンツの視聴者撮影画像データおよび視聴者人数情報を受信する。ランキング情報生成部１２３は、受信部１２２で受信されたロケーション端末２００-1〜２００-Nの視聴者人数情報に基づき、ロケーション端末２００-1〜２００-Nのランキング情報を生成する。この場合、ランキング情報生成部１２３は、視聴者人数が多いロケーション端末ほど上位にランク付けする。
【００６６】
表示データ作成部１２４は、ランキング情報生成部１２３で生成されたランキング情報に基づいて、ロケーション端末２００-1〜２００-Nに送信すべき表示データを作成する。この表示データには、第１の表示領域に所定広告コンテンツを表示するコンテンツデータと、所定数の第２の表示領域に視聴者撮影画像を表示する所定数の視聴者撮影画像データとが含まれる。この所定数の視聴者撮影画像データは、ロケーション端末２００-1〜２００-Nのうち、ランキング情報に基づいて選択された所定数のロケーション端末の視聴者撮影画像を表示する、受信部１２２で受信された視聴者撮影画像データである。例えば、所定数のロケーション端末は、視聴者人数が多い方から順に選択される。表示データ送信部１２５は、表示データ作成部１２４で作成された表示データを、ロケーション端末２００-1〜２００-Nに送信する。
【００６７】
図９のシーケンス図は、センタサーバ１００とロケーション端末２００-1〜２００-Nとの間のデータあるいは情報のやり取りを概略的に示している。まず、センタサーバ１００からロケーション端末２００-1〜２００-Nに、コンテンツ特定情報を含む情報要求が送られる。これに対応して、ロケーション端末２００-1〜２００-Nからセンタサーバ１００に、コンテンツ特定情報で特定される所定広告コンテンツの視聴者撮影画像データおよび視聴者人数情報が送られる。
【００６８】
その後、センタサーバ１００では、ロケーション端末２００-1〜２００-Nの視聴者人数情報に基づき、視聴者人数が多いロケーション端末ほど上位にランク付けされて、ロケーション端末２００-1〜２００-Nのランキング情報が生成される。また、センタサーバ１００では、ランキング情報に基づいて、ロケーション端末２００-1〜２００-Nに送信すべき表示データが作成される。この表示データには、第１の表示領域に所定広告コンテンツを表示するコンテンツデータと、所定数の第２の表示領域に、ランキング情報に基づいて選択された所定数のロケーション端末の視聴者撮影画像を表示する画像データが含まれる。
【００６９】
その後、センタサーバ１００からロケーション端末２００-1〜２００-Nに、上述したように作成された表示データが送られる。ロケーション端末２００-1〜２００-Nでは、所定広告コンテンツの表示タイミングで、表示データに基づいて、表示ディスプレイ２１０に、所定広告コンテンツと共に、所定数のロケーション端末の視聴者撮影画像が表示される（図４参照）。
【００７０】
［ロケーション端末、センタサーバの処理手順］
図１０のフローチャートは、ロケーション端末２００（２００-1〜２００-N）における視聴者撮影画像データおよび視聴者人数情報の送信処理手順を示している。ロケーション端末２００は、ステップＳＴ１において、処理を開始し、その後に、ステップＳＴ２の処理に移る。
【００７１】
このステップＳＴ２において、ロケーション端末２００は、センタサーバ１００からコンテンツ特定情報を含む情報要求を受信したか否かを判断する。情報要求を受信したとき、ロケーション端末２００は、ステップＳＴ３の処理に移る。このステップＳＴ３において、ロケーション端末２００は、情報要求に含まれるコンテンツ特定情報で特定される所定広告コンテンツが表示ディスプレイ２１０に表示される期間に、カメラ２０５で視聴者を撮影して、視聴者撮影画像データを得る。
【００７２】
次に、ロケーション端末２００は、ステップＳＴ４において、ステップＳＴ３で得られた視聴者撮影画像データを処理して、視聴者人数情報を取得する。そして、ロケーション端末２００は、ステップＳＴ５において、ステップＳＴ３で得られた所定広告コンテンツの視聴者撮影画像データと、ステップＳＴ４で取得された所定広告コンテンツの視聴者人数情報を、センタサーバ１００に送信する。ロケーション端末２００は、ステップＳＴ５の処理が終了した後、ステップＳＴ２の処理に戻る。
【００７３】
図１１のフローチャートは、センタサーバ１００における表示データの送信処理手順を示している。センタサーバ１００は、ステップＳＴ１１において、処理を開始し、その後に、ステップＳＴ１２の処理に移る。このステップＳＴ１２において、センタサーバ１００は、所定広告コンテンツのコンテンツ情報を含む情報要求を、ロケーション端末２００-1〜２００-Nに送信する。
【００７４】
次に、センタサーバ１００は、ステップＳＴ１３において、ロケーション端末２００-1〜２００-Nから送られてくる所定広告コンテンツの視聴者撮影画像データおよび視聴者人数情報を受信する。そして、センタサーバ１００は、ステップＳＴ１４において、ステップＳＴ１３で受信されたロケーション端末２００-1〜２００-Nの視聴者人数情報に基づいて、ロケーション端末２００-1〜２００-Nのランキング情報を生成する。この場合、視聴者人数が多いロケーション端末ほど上位にランク付けされる。
【００７５】
次に、センタサーバ１００は、ステップＳＴ１５において、ランキング情報に基づいて、ロケーション端末２００-1〜２００-Nに送信すべき所定広告コンテンツの表示データを作成する。センタサーバ１００は、この表示データを、例えば、表示用テンプレートを用いて作成する。この表示データには、第１の表示領域に所定広告コンテンツを表示するコンテンツデータの他に、所定数の視聴者撮影画像データが含まれる。この所定数の視聴者撮影画像データは、ロケーション端末２００-1〜２００-Nのうち、ランキング情報に基づいて選択された所定数のロケーション端末における視聴者撮影画像を表示するものである。
【００７６】
次に、センタサーバ１００は、ステップＳＴ１６において、ロケーション端末２００-1〜２００-Nに、ステップＳＴ１５で作成された表示データを送信する。そして、センタサーバ１００は、ステップＳＴ１６の処理の後、ステップＳＴ１７において、情報を更新するか否かを判断する。情報を更新するか否かは予めユーザにより設定される。情報を更新するとき、センタサーバ１００は、ステップＳＴ１２に戻る。一方、情報を更新しないとき、センタサーバ１００は、ステップＳＴ１８において、処理を終了する。
【００７７】
図１２のフローチャートは、ロケーション端末２００（２００-1〜２００-N）における表示データの受信処理手順を示している。ロケーション端末２００は、ステップＳＴ２１において、処理を開始し、その後に、ステップＳＴ２２の処理に移る。このステップＳＴ２２において、ロケーション端末２００は、センタサーバ１００から表示データを受信する。
【００７８】
次に、ロケーション端末２００は、ステップＳＴ２３において、ステップＳＴ２２で受信された表示データを、ＨＤＤ等の記憶部に記憶保存する。そして、ロケーション端末２００は、ステップＳＴ２３の処理の後、ステップＳＴ２４において、情報を更新するか否かを判断する。情報を更新するか否かは予めユーザにより設定される。情報を更新するとき、ロケーション端末２００は、ステップＳＴ２２に戻る。一方、情報を更新しないとき、ロケーション端末２００は、ステップＳＴ２５において、処理を終了する。
【００７９】
図１３のフローチャートは、ロケーション端末２００（２００-1〜２００-N）における所定広告コンテンツの表示処理手順を示している。ロケーション端末２００は、ステップＳＴ３１において、処理を開始し、その後に、ステップＳＴ３２の処理に移る。このステップＳＴ３２において、ロケーション端末２００は、所定広告コンテンツの表示タイミングに、記憶部から、この所定広告コンテンツの表示データを読み出し、表示ディスプレイ２１０に、その内容を表示する。この場合、表示ディスプレイ２１０には、この所定広告コンテンツと共に、所定数のロケーション端末の視聴者撮影画像が表示される。
【００８０】
ロケーション端末２００は、ステップＳＴ３２の処理の後、ステップＳＴ３３において、表示終了か否かを判断する。ロケーション端末２００は、所定広告コンテンツの表示期間が終了したとき、あるいは、ユーザにより表示オフ操作がされたとき、表示終了と判断する。表示終了のとき、ロケーション端末２００は、ステップＳＴ３４において、処理を終了する。
【００８１】
上述したように、図１に示すサイネージシステム１０においては、センタサーバ１００からロケーション端末２００-1〜２００-Nに、所定広告コンテンツと共に、所定数のロケーション端末における視聴者撮影画像を表示し得る表示データが送信される。そして、ロケーション端末２００-1〜２００-Nの表示ディスプレイ２１０には、所定広告コンテンツの表示タイミングに、所定広告コンテンツと共に、所定数のロケーション端末における視聴者撮影画像が表示される。
【００８２】
そのため、所定広告コンテンツの視聴者は、その所定広告コンテンツを視聴する人が回りにほとんどいなくても、所定数のロケーション端末における視聴者撮影画像内の視聴者により共感が呼び起こされ、盛り上がり、その所定広告コンテンツに引き込まれ易くなる。したがって、例えば、所定広告コンテンツの広告効果が向上する。
【００８３】
また、図１に示すサイネージシステム１０においては、センタサーバ１００で、ロケーション端末２００-1〜２００-Nから送られてくる視聴者人数情報に基づき、視聴者人数が多いロケーション端末ほど上位にランク付けされたランキング情報が生成される。そして、このセンタサーバ１００で、このランキング情報に基づいて、視聴者人数が多い所定数のロケーション端末が選択され、その視聴者撮影画像データが含まれる表示データが作成され、ロケーション端末２００-1〜２００-Nに送られる。
【００８４】
そのため、ロケーション端末２００-1〜２００-Nの表示ディスプレイ２１０に、所定広告コンテンツと共に表示される所定数のロケーション装置における視聴者撮影画像は、多くの視聴者が視聴しているものとなる。したがって、所定広告コンテンツの視聴者は、所定数のロケーション端末における視聴者撮影画像内のより多くの視聴者により共感が呼び起こされ、その所定広告コンテンツにより引き込まれ易くなり、所定広告コンテンツの広告効果がより向上する。
【００８５】
また、図１に示すサイネージシステム１０においては、ロケーション端末２００-1〜２００-Nからセンタサーバ１００に、所定広告コンテンツの視聴者撮影画像データと共に、視聴者人数情報も送信される。そのため、センタサーバ１００では、ロケーション端末２００-1〜２００-Nの視聴者撮影画像データから視聴者人数情報を取得する処理を行う必要がなく、処理負荷が軽減される。
【００８６】
また、図１に示すサイネージシステム１０においては、センタサーバ１００からロケーション端末２００-1〜２００-Nにコンテンツ特定情報を含む情報要求を送信できる。そして、センタサーバ１００は、これに応じて、ロケーション端末２００-1〜２００-Nからコンテンツ特定情報で特定される所定広告コンテンツの視聴者撮影画像データおよび視聴者人数情報を受信できる。そのため、センタサーバ１００は、ロケーション端末２００-1〜２００-Nに送信すべき表示データを更新することが可能となる。
【００８７】
図１４は、上述のサイネージシステム１０のロケーション端末２００におけるコンテンツＡの表示方法の一例を示している。この例では、１０分おきに１分間だけコンテンツＡが表示される。この場合、（１）１分間、コンテンツＡが表示され、同時に視聴者が撮影される。この表示期間の経過後、この視聴者撮影画像データおよびそれが処理されて得られた視聴者人数情報がセンタサーバ１００に送信される。
【００８８】
（２）９分間、別なコンテンツが表示される。この間に、センタサーバ１００から、コンテンツＡと共に、所定数のロケーション端末における視聴者撮影画像を表示し得る表示データが受信される。（３）次の１分間、受信された表示データにより、コンテンツＡと共に、所定数のロケーション端末における視聴者撮影画像が表示される。（４）９分間、別のコンテンツが表示される。以下、上述の（１）〜（４）が繰り返される。
【００８９】
図１５は、従来のロケーション端末におけるコンテンツＡの表示方法の一例を示している。この例でも、１０分おきに１分間だけコンテンツＡが表示される。この場合、（１）１分間、コンテンツＡが表示される。（２）９分間、別なコンテンツが表示される。以下、（１）、（２）が繰り返される。
【００９０】
サイネージシステム１０のロケーション端末２００は、図１４に示すような表示方法をとることができる。この表示方法では、図１５の表示方法のように同じ表示を繰り返すものと比較して、毎回表示を変化させることができる。したがって、視聴者がより興味を引く広告効果を引き出すことが可能となる。
【００９１】
＜２．変形例＞
「変形例１」
なお、上述実施の形態においては、ロケーション端末２００-1〜２００-Nで、所定広告コンテンツの視聴者撮影画像データが処理されて視聴者人数情報が取得される例を示した。しかし、この視聴者人数取得処理を、センタサーバ１００で行うようにし、ロケーション端末２００-1〜２００-Nの処理負荷を軽減することも考えられる。
【００９２】
図１６は、その場合におけるロケーション端末２００の主要な機能を示した機能ブロック図である。この図１６において、図６と対応する部分には、同一符号を付して示している。この図１６に示す機能ブロック図においては、図６の機能ブロック図に存在していた画像データ処理部２２２が除かれている。また、図１６に示す機能ブロック図において、送信部２２３Ａは、カメラ２０５で得られた所定広告コンテンツの視聴者撮影画像データのみを、センタサーバ１００に送信する。
【００９３】
また、図１７のフローチャートは、その場合におけるロケーション端末２００（２００-1〜２００-N）における視聴者撮影画像データの送信処理手順を示している。この図１７のフローチャートにおいて、図１０のフローチャートと対応する部分には、同一符号を付して示している。この図１７のフローチャートにおいては、図１０のフローチャートに存在していた、視聴者撮影画像データを処理して視聴者人数情報を取得する処理ステップ（ステップＳＴ４）が除かれている。また、この図１７のフローチャートにおいては、図１０のフローチャートのステップＳＴ５に対応したステップＳＴ５Ａにおいて、ロケーション端末２００は、所定広告コンテンツの視聴者撮影画像データのみをセンタサーバ１００に送信する。
【００９４】
また、図１８は、その場合におけるセンタサーバ１００の主要な機能を示した機能ブロック図である。この図１８において、図８と対応する部分には、同一符号を付して示している。この図１８に示す機能ブロック図においては、図８の機能ブロック図に存在しない画像データ処理部１２６が存在する。画像データ処理部１２６は、受信部１２２Ａで受信された所定広告コンテンツの視聴者撮影画像データを処理して、視聴者人数情報を取得する。そして、ランキング情報生成部１２３は、画像データ処理部１２６で取得されたロケーション端末２００-1〜２００-Nの視聴者人数情報に基づき、ロケーション端末２００-1〜２００-Nのランキング情報を生成する。
【００９５】
また、図１９のフローチャートは、その場合におけるセンタサーバ１００における表示データの送信処理手順を示している。この図１９のフローチャートにおいて、図１１のフローチャートと対応する部分には、同一符号を付して示している。この図１９のフローチャートにおいては、図１１のフローチャートのステップＳＴ１３の代わりに、ステップＳＴ１３ＡおよびステップＳＴ１３Ｂが存在する。センタサーバ１００は、ステップＳＴ１３Ａにおいて、ロケーション端末２００-1〜２００-Nから送られてくる所定広告コンテンツの視聴者撮影画像データを受信する。また、センタサーバ１００は、ステップＳＴ１３Ｂにおいて、ステップＳＴ１３Ａで受信されたロケーション端末２００-1〜２００-Nの視聴者撮影画像データを処理して、ロケーション端末２００-1〜２００-Nの視聴者人数情報を取得する。そして、ステップＳＴ１４において、センタサーバ１００は、ステップＳＴ１３Ｂで取得された視聴者人数情報に基づいて、ランキング情報を生成する。
【００９６】
「変形例２」
また、上述実施例においては、センタサーバ１００で、所定広告コンテンツデータおよび所定数のロケーション端末の視聴者撮影画像データが含まれた表示データが作成されてロケーション端末２００-1〜２００-Nに送信される例を示した。しかし、ロケーション端末２００-1〜２００-Nで表示データを作成する構成も考えられる。この場合には、表示ディスプレイ１１０に、所定広告コンテンツと共に、所定数のロケーション端末で撮影して得られたライブの視聴者撮影画像を表示することが可能となる。
【００９７】
この場合、センタサーバ１００からロケーション端末２００-1〜２００-Nに、コンテンツ特定情報を含む情報要求が送信される。ロケーション端末２００-1〜２００-Nでは、センタサーバ１００から送られてくる情報要求が受信される。ロケーション端末（端末装置）２００-1〜２００-Nでは、この情報要求に応じて、コンテンツ特定情報で特定される所定広告コンテンツの視聴者が撮影される。この場合、所定広告コンテンツが表示ディスプレイ２１０に表示される、例えば３０秒、１分などの期間に、例えば表示ディスプレイ２１０の上端などに設置されたカメラ１０５で、この所定広告コンテンツの視聴者が撮影される。
【００９８】
そして、ロケーション端末２００-1〜２００-Nでは、カメラ１０５で撮影して得られた視聴者撮影画像データが処理されて視聴者人数情報が取得される。この視聴者人数情報を取得する処理は、上述したように、例えば、特開２００８−１１２４０１号公報などに記載されている顔画像認識技術を用いて行われる。ロケーション端末２００-1〜２００-Nで得られた視聴者人数情報は、センタサーバ１００に送信される。
【００９９】
センタサーバ１００では、ロケーション端末２００-1〜２００-Nから送られてくる、所定広告コンテンツの視聴者人数情報が受信される。センタサーバ１００では、ロケーション端末２００-1〜２００-Nにおける視聴者人数情報に基づき、視聴者人数が多いロケーション端末ほど上位にランク付けされて、ロケーション端末２００-1〜２００-Nのランキング情報が生成される。このランキング情報は、ロケーション端末２００-1〜２００-Nに送信される。
【０１００】
ロケーション端末２００-1〜２００-Nでは、センタサーバ１００から送られてくるロケーション端末２００-1〜２００-Nのランキング情報に基づいて所定数のロケーション端末が選択される。例えば、所定数のロケーション端末は、視聴者人数が多い方から順に選択される。ロケーション端末２００-1〜２００-Nは、この所定数のロケーション端末から自身のロケーション端末を除くように設定することもできる。
【０１０１】
ロケーション端末２００-1〜２００-Nでは、所定広告コンテンツの表示タイミングに、この選択された所定数のロケーション端末から視聴者撮影画像データが取得される。この場合、所定数のロケーション端末に自身のロケーション端末が含まれる場合、カメラ１０５が視聴者撮影状態とされてライブの視聴者撮影画像データが得られる状態となる。また、所定数のロケーション端末に含まれる他のロケーション端末に関しては、そのロケーション端末にアクセスされ、そのロケーション端末からライブの視聴者撮影画像データが受信される状態となる。
【０１０２】
ロケーション端末２００-1〜２００-Nでは、所定広告コンテンツの表示タイミングに、表示データが作成される。この表示データには、第１の表示領域に所定広告コンテンツを表示するコンテンツデータと、所定数の第２の表示領域に、上述の所定数のロケーション端末におけるライブの視聴者撮影画像を表示する、視聴者撮影画像データとが含まれる。
【０１０３】
ロケーション端末２００-1〜２００-Nでは、表示データを作成する際に、例えば、表示用テンプレートが使用される（図２参照）。この表示用テンプレートに、コンテンツデータおよび画像データが配置されることで、表示データが作成される。この表示用テンプレートは、例えば、第１の表示領域が画面中央に位置し、所定数の第２の表示領域が第１の表示領域の回りに位置するものとされる。なお、所定コンテンツを表示するコンテンツデータは、センタサーバ１００からロケーション端末２００-1〜２００-Nに、予め、単独で、あるいは表示用テンプレートに配置されて配信される。
【０１０４】
そして、ロケーション端末２００-1〜２００-Nでは、所定広告コンテンツの表示タイミングにおいて、表示ディスプレイ２１０に、上述したように作成された表示データに基づいた表示が行われる。この場合、表示ディスプレイ２１０には、所定広告コンテンツと共に、所定数のロケーション端末におけるライブの視聴者撮影画像が表示される。所定数のロケーション端末は、上述したように、ロケーション端末２００-1〜２００-Nのランキング情報に基づいて、例えば視聴者人数が多い方から選択されたものである。そのため、表示ディスプレイ２１０に表示される所定数のロケーション端末における視聴者撮影画像は、比較的多くの視聴者が含まれているものとなる。
【０１０５】
［ロケーション端末とセンタサーバの機能ブロック］
図２０は、ロケーション端末２００の主要な機能を示した機能ブロック図である。この図２０において、図６と対応する部分には、同一符号を付して示している。ロケーション端末２００は、カメラ２０５および表示ディスプレイ２１０の他に、以下の機能部を備えている。すなわち、ロケーション端末２００は、情報要求受信部２２１と、画像データ処理部２２２と、送信部２２３Ｂと、ランキング情報受信部２２６と、画像データ取得部２２７と、表示データ作成部２２８と、表示制御部２２５とを備えている。情報要求受信部２２１は、センタサーバ１００から送信されてくるコンテンツ特定情報を含む情報要求を受信する。
【０１０６】
カメラ２０５は、情報要求受信部２２１で受信された情報要求に含まれるコンテンツ特定情報で特定される所定広告コンテンツが表示ディスプレイ２１０に表示される期間に視聴者を撮影して、視聴者撮影画像データを得る。画像データ処理部２２２は、カメラ２０５で得られた所定広告コンテンツの視聴者撮影画像データを処理して、視聴者人数情報を取得する。送信部２２３Ｂは、画像データ処理部２２２で取得された所定広告コンテンツの視聴者人数情報を、センタサーバ１００に送信する。
【０１０７】
ランキング情報受信部２２６は、センタサーバ１００から送信されてくるロケーション端末２００-1〜２００-Nのランキング情報を受信する。画像データ取得部２２７は、ランキング情報に基づいて、ロケーション端末２００-1〜２００-Nから、所定数のロケーション端末を選択する。例えば、所定数のロケーション端末は、視聴者人数が多い方から順に選択される。なお、画像データ取得部２２７は、設定により、所定数のロケーション端末として、自身のロケーション端末を選択しないこともある。
【０１０８】
また、画像データ取得部２２７は、所定広告コンテンツの表示タイミングに、選択された所定数のロケーション端末から視聴者撮影画像データを取得する。この場合、所定数のロケーション端末に自身のロケーション端末が含まれる場合、カメラ１０５を視聴者撮影状態としてライブの視聴者撮影画像データを得る状態となる。また、所定数のロケーション端末に含まれる他のロケーション端末に関しては、そのロケーション端末にアクセスし、そのロケーション端末からライブの視聴者撮影画像データを受信する状態となる。
【０１０９】
表示データ作成部２２８は、所定広告コンテンツの表示タイミングに、画像データ取得部２２７で取得された所定数のロケーション端末の視聴者撮影画像データを用いて、表示データを作成する。この表示データには、第１の表示領域に所定広告コンテンツを表示するコンテンツデータと、所定数の第２の表示領域に、上述の所定数のロケーション端末のライブの視聴者撮影画像データとが含まれる。
【０１１０】
表示制御部２２５は、表示データ作成部２２８で作成された表示データに基づいて、表示ディスプレイ２１０に、所定広告コンテンツの表示タイミングに、この所定広告コンテンツと共に、所定数のロケーション端末のライブの視聴者撮影画像を表示する。なお、情報要求受信部２２１、送信部２２３Ｂ、ランキング情報受信部２２６、画像データ取得部２２７（他のロケーション端末に関する部分）は、通信インタフェース２０６により構成される。また、画像データ処理部２２２、表示データ作成部２２８、表示制御部２２５および画像データ取得部２２７（自身に関する部分）は、ＣＰＵ２０１により構成される。
【０１１１】
図２１は、センタサーバ１００の主要な機能を示した機能ブロック図である。この図２１において、図８と対応する部分には、同一符号を付して示している。センタサーバ１００は、情報要求送信部１２１と、受信部１２２Ｂと、ランキング情報生成部１２３と、ランキング情報送信部１２７とを備えている。なお、情報要求送信部１２１、受信部１２２Ｂおよびランキング情報送信部１２７は、通信インタフェース１０５により構成される。また、ランキング情報生成部１２３は、ＣＰＵ１０１により構成される。情報要求送信部１２１は、コンテンツ特定情報を含む情報要求を、ロケーション端末２００-1〜２００-Nに送信する。
【０１１２】
受信部１２２Ｂは、ロケーション端末２００-1〜２００-Nから送られてくる、所定広告コンテンツの視聴者人数情報を受信する。ランキング情報生成部１２３は、受信部１２２Ｂで受信されたロケーション端末２００-1〜２００-Nの視聴者人数情報に基づき、ロケーション端末２００-1〜２００-Nのランキング情報を生成する。この場合、ランキング情報生成部１２３は、視聴者人数が多いロケーション端末ほど上位にランク付けする。ランキング情報送信部１２７は、ランキング情報生成部１２３で作成されたランキング情報を、ロケーション端末２００-1〜２００-Nに送信する。
【０１１３】
図２２のシーケンス図は、センタサーバ１００とロケーション端末２００-1〜２００-Nとの間のデータあるいは情報のやり取りを概略的に示している。まず、センタサーバ１００からロケーション端末２００-1〜２００-Nに、コンテンツ特定情報を含む情報要求が送られる。これに対応して、ロケーション端末２００-1〜２００-Nからセンタサーバ１００に、コンテンツ特定情報で特定される所定広告コンテンツの視聴者人数情報が送られる。
【０１１４】
その後、センタサーバ１００では、ロケーション端末２００-1〜２００-Nの視聴者人数情報に基づき、視聴者人数が多いロケーション端末ほど上位にランク付けされて、ロケーション端末２００-1〜２００-Nのランキング情報が生成される。そして、センタサーバ１００からロケーション端末２００-1〜２００-Nに、このように生成されたランキング情報が送られる。
【０１１５】
ロケーション端末２００-1〜２００-Nでは、ランキング情報に基づいて、例えば視聴者人数の多い所定数のロケーション端末が選択される。そして、所定広告コンテンツの表示タイミングで、その所定数のロケーション端末の視聴者撮影画像データを取得することが行われ、表示データが作成される。この表示データには、第１の表示領域に所定広告コンテンツを表示するコンテンツデータと、所定数の第２の表示領域に、所定数のロケーション端末のライブの視聴者撮影画像を表示する画像データとが含まれる。
【０１１６】
ロケーション端末２００-1〜２００-Nでは、所定広告コンテンツの表示タイミングで、表示データに基づいて、表示ディスプレイ２１０に、所定広告コンテンツと共に、所定数のロケーション端末のライブの視聴者撮影画像が表示される（図４参照）。
【０１１７】
［ロケーション端末、センタサーバの処理手順］
図２３のフローチャートは、ロケーション端末２００（２００-1〜２００-N）における視聴者人数情報の送信処理手順を示している。ロケーション端末２００は、ステップＳＴ４１において、処理を開始し、その後に、ステップＳＴ４２の処理に移る。
【０１１８】
このステップＳＴ４２において、ロケーション端末２００は、センタサーバ１００からコンテンツ特定情報を含む情報要求を受信したか否かを判断する。情報要求を受信したとき、ロケーション端末２００は、ステップＳＴ４３の処理に移る。このステップＳＴ４３において、ロケーション端末２００は、情報要求に含まれるコンテンツ特定情報で特定される所定広告コンテンツが表示ディスプレイ２１０に表示される期間に、カメラ２０５で視聴者を撮影して、視聴者撮影画像データを得る。
【０１１９】
次に、ロケーション端末２００は、ステップＳＴ４４において、ステップＳＴ４３で得られた視聴者撮影画像データを処理して、視聴者人数情報を取得する。そして、ロケーション端末２００は、ステップＳＴ４５において、ステップＳＴ４４で取得された所定広告コンテンツの視聴者人数情報を、センタサーバ１００に送信する。ロケーション端末２００は、ステップＳＴ４５の処理が終了した後、ステップＳＴ４２の処理に戻る。
【０１２０】
図２４のフローチャートは、センタサーバ１００におけるランキング情報の送信処理手順を示している。センタサーバ１００は、ステップＳＴ５１において、処理を開始し、その後に、ステップＳＴ５２の処理に移る。このステップＳＴ５２において、センタサーバ１００は、所定広告コンテンツのコンテンツ情報を含む情報要求を、ロケーション端末２００-1〜２００-Nに送信する。
【０１２１】
次に、センタサーバ１００は、ステップＳＴ５３において、ロケーション端末２００-1〜２００-Nから送られてくる所定広告コンテンツの視聴者人数情報を受信する。そして、センタサーバ１００は、ステップＳＴ５４において、ステップＳＴ５３で受信されたロケーション端末２００-1〜２００-Nの視聴者人数情報に基づいて、ロケーション端末２００-1〜２００-Nのランキング情報を生成する。この場合、視聴者人数が多いロケーション端末ほど上位にランク付けされる。
【０１２２】
次に、センタサーバ１００は、ステップＳＴ５５において、ロケーション端末２００-1〜２００-Nに、ステップＳＴ５４で作成されたランキング情報を送信する。そして、センタサーバ１００は、ステップＳＴ５５の処理の後、ステップＳＴ５６において、情報を更新するか否かを判断する。情報を更新するか否かは予めユーザにより設定される。情報を更新するとき、センタサーバ１００は、ステップＳＴ５２に戻る。一方、情報を更新しないとき、センタサーバ１００は、ステップＳＴ５７において、処理を終了する。
【０１２３】
図２５のフローチャートは、ロケーション端末２００（２００-1〜２００-N）におけるランキング情報の受信処理手順を示している。ロケーション端末２００は、ステップＳＴ６１において、処理を開始し、その後に、ステップＳＴ６２の処理に移る。このステップＳＴ６２において、ロケーション端末２００は、センタサーバ１００からランキング情報を受信する。
【０１２４】
次に、ロケーション端末２００は、ステップＳＴ６３において、ステップＳＴ６２で受信されたランキング情報を、ＨＤＤ等の記憶部に記憶保存する。そして、ロケーション端末２００は、ステップＳＴ６３の処理の後、ステップＳＴ６４において、情報を更新するか否かを判断する。情報を更新するか否かは予めユーザにより設定される。情報を更新するとき、ロケーション端末２００は、ステップＳＴ６２に戻る。一方、情報を更新しないとき、ロケーション端末２００は、ステップＳＴ６５において、処理を終了する。
【０１２５】
図２６のフローチャートは、ロケーション端末２００（２００-1〜２００-N）における所定広告コンテンツの表示処理手順を示している。ロケーション端末２００は、ステップＳＴ７１において、処理を開始し、その後に、ステップＳＴ７２の処理に移る。このステップＳＴ７２において、ロケーション端末２００は、所定広告コンテンツの表示タイミングに、記憶部から、この所定広告コンテンツのランキング情報を読み出し、上位所定数のロケーション端末のライブの視聴者撮影画像データを取得する。
【０１２６】
次に、ロケーション端末２００は、ステップＳＴ７３において、ステップＳＴ７２で取得された所定数のロケーション端末のライブの視聴者撮影画像データを用いて表示データを作成し、表示ディスプレイ２１０に、その内容を表示する。この場合、表示ディスプレイ２１０には、この所定広告コンテンツと共に、所定数のロケーション端末のライブの視聴者撮影画像が表示される。
【０１２７】
ロケーション端末２００は、ステップＳＴ７３の処理の後、ステップＳＴ７４において、表示終了か否かを判断する。ロケーション端末２００は、所定広告コンテンツの表示期間が終了したとき、あるいは、ユーザにより表示オフ操作がされたとき、表示終了と判断する。表示終了のとき、ロケーション端末２００は、ステップＳＴ７５において、処理を終了する。
【０１２８】
「変形例３」
上述の変形例２においては、ロケーション端末２００-1〜２００-Nで、所定広告コンテンツの視聴者撮影画像データが処理されて視聴者人数情報が取得される例を示した。しかし、この視聴者人数取得処理を、センタサーバ１００で行うようにし、ロケーション端末２００-1〜２００-Nの処理負荷を軽減することも考えられる。
【０１２９】
図２７は、その場合におけるロケーション端末２００の主要な機能を示した機能ブロック図である。この図２７において、図２０と対応する部分には、同一符号を付して示している。この図２７に示す機能ブロック図においては、図２０の機能ブロック図に存在していた画像データ処理部２２２が除かれている。また、図２７に示す機能ブロック図において、送信部２２３Ｃは、カメラ２０５で得られた所定広告コンテンツの視聴者撮影画像データを、センタサーバ１００に送信する。上述した図１７のフローチャートは、その場合におけるロケーション端末２００（２００-1〜２００-N）における視聴者撮影画像データの送信処理手順も示している。
【０１３０】
また、図２８は、その場合におけるセンタサーバ１００の主要な機能を示した機能ブロック図である。この図２８において、図２１と対応する部分には、同一符号を付して示している。この図２８に示す機能ブロック図においては、図２１の機能ブロック図に存在しない画像データ処理部１２６が存在する。画像データ処理部１２６は、受信部１２２Ｃで受信された所定広告コンテンツのロケーション端末２００-1〜２００-Nの視聴者撮影画像データを処理して、視聴者人数情報を取得する。そして、ランキング情報生成部１２３は、画像データ処理部１２６で取得されたロケーション端末２００-1〜２００-Nの視聴者人数情報に基づき、ロケーション端末２００-1〜２００-Nのランキング情報を生成する。
【０１３１】
また、図２９のフローチャートは、その場合におけるセンタサーバ１００における表示データの送信処理手順を示している。この図２９のフローチャートにおいて、図２４のフローチャートと対応する部分には、同一符号を付して示している。この図２９のフローチャートにおいては、図２４のフローチャートのステップＳＴ５３の代わりに、ステップＳＴ５３ＡおよびステップＳＴ５３Ｂが存在する。
【０１３２】
センタサーバ１００は、ステップＳＴ５３Ａにおいて、ロケーション端末２００-1〜２００-Nから送られてくる所定広告コンテンツの視聴者撮影画像データを受信する。また、センタサーバ１００は、ステップＳＴ５３Ｂにおいて、ステップＳＴ５３Ａで受信されたロケーション端末２００-1〜２００-Nの視聴者撮影画像データを処理して、ロケーション端末２００-1〜２００-Nの視聴者人数情報を取得する。そして、ステップＳＴ５４において、センタサーバ１００は、ステップＳＴ５３Ｂで取得された視聴者人数情報に基づいて、ランキング情報を生成する。
【０１３３】
「その他の変形例」
なお、上述では、サイネージシステム１０を示し、センタサーバ１００からロケーション端末２００-1〜２００-Nに広告コンテンツが配信されるものを示した。しかし、同様のネットワークシステムにおいて、センタサーバから複数のロケーション端末に番組コンテンツなどのその他のコンテンツを送信し、各ロケーション端末の表示ディスプレイでそのコンテンツを表示するものにも、この発明を同様に適用することができる。
【０１３４】
また、上述では、ロケーション端末２００-1〜２００-Nの全てがセンタサーバ１００に、視聴者撮影画像データおよび／または視聴者人数情報を送信するものを示した。この場合、ロケーション端末２００-1〜２００-Nは、コンテンツと共に表示される所定数の所定のロケーション端末の候補となる。しかし、センタサーバ１００に接続されるロケーション端末として、視聴者撮影画像データおよび／または視聴者人数情報の送信機能を有していないものがあってもよい。その場合、これらのロケーション端末は、コンテンツと共に表示される所定数の所定のロケーション端末の候補とはならない。
【産業上の利用可能性】
【０１３５】
この発明は、例えば、スーパーマーケットなどの店舗におけるサイネージシステム等に適用できる。
【符号の説明】
【０１３６】
１０・・・サイネージシステム
１００・・・センタサーバ
１０１・・・ＣＰＵ
１０５・・・通信インタフェース
１０６・・・入出力インタフェース
１０８・・・ユーザ操作部
１０９・・・表示部
１２１・・・情報要求送信部
１２２，１２２Ａ〜１２２Ｃ・・・受信部
１２３・・・ランキング情報生成部
１２４・・・表示データ作成部
１２５・・・表示データ送信部
１２６・・・画像データ処理部
１２７・・・ランキング情報送信部
２００，２００-1〜２００-N・・・ロケーション端末
２０１・・・ＣＰＵ
２０５・・・カメラ
２０６・・・通信インタフェース
２０７・・・入出力インタフェース
２０９・・・ユーザ操作部
２１０・・・表示ディスプレイ
２２１・・・情報要求受信部
２２２・・・画像データ処理部
２２３，２２３Ａ〜２２３Ｃ・・・送信部
２２４・・・表示データ受信部
２２５・・・表示制御部
２２６・・・ランキング情報受信部
２２７・・・画像データ取得部
２２８・・・表示データ作成部
３００・・・ネットワーク
【図１】
2012098573.tif 000003
【図２】
2012098573.tif 000004
【図５】
2012098573.tif 000005
【図６】
2012098573.tif 000006
【図７】
2012098573.tif 000007
【図８】
2012098573.tif 000008
【図９】
2012098573.tif 000009
【図１０】
2012098573.tif 000010
【図１１】
2012098573.tif 000011
【図１２】
2012098573.tif 000012
【図１３】
2012098573.tif 000013
【図１６】
2012098573.tif 000014
【図１７】
2012098573.tif 000015
【図１８】
2012098573.tif 000016
【図１９】
2012098573.tif 000017
【図２０】
2012098573.tif 000018
【図２１】
2012098573.tif 000019
【図２２】
2012098573.tif 000020
【図２３】
2012098573.tif 000021
【図２４】
2012098573.tif 000022
【図２５】
2012098573.tif 000023
【図２６】
2012098573.tif 000024
【図２７】
2012098573.tif 000025
【図２８】
2012098573.tif 000026
【図２９】
2012098573.tif 000027
【図３】
2012098573.tif 000028
【図４】
2012098573.tif 000029
【図１４】
2012098573.tif 000030
【図１５】
2012098573.tif 000031